(57)【特許請求の範囲】
【請求項１】
施設毎に対応して設置された無線装置（１０、１０ａ〜１０ｃ）と無線通信を行う携帯端末であって、
報知を行う報知手段（２５）と、
前記施設毎の位置情報と前記施設毎のジャンルを前記無線装置から受信する受信手段（２１、２２、２００、２２０、２４０）と、
使用者により操作される操作手段（２６）と、
前記施設毎の位置情報の受信に先立ち前記操作手段が操作されて前記施設のジャンルが指定される第１の指定手段（２００ａ）と、
前記施設毎の位置の報知に先立ち前記操作手段が操作されて前記施設のジャンルが指定される第２の指定手段（２６１）と、
前記受信された施設毎のジャンルと前記受信された施設毎の位置情報のうち前記指定されたジャンルの施設の位置情報とに基づき、前記指定されたジャンルの施設の位置だけを前記報知手段によって報知させる制御手段（２１０、２３０、２５０、２６０ａ）と、を有する携帯端末であり、
情報の記憶を行うための記憶手段（２８）を有し、
前記制御手段は、
前記受信された施設毎の位置情報のうち前記第１の指定手段で指定されたジャンルの施設毎の位置情報だけを前記記憶手段に記憶させる手段（２１０、２３０、２５０）と、
前記記憶された施設毎の位置情報のうち前記第２の指定手段で指定されたジャンルの施設の位置情報に基づき、前記第２の指定手段で指定されたジャンルの施設の位置だけを前記報知手段によって報知させることにより、前記操作指定手段で指定されたジャンルの施設の位置だけを前記報知手段によって報知させる手段（２６０ａ）と、を有することを特徴とする携帯端末。
【請求項２】
前記報知手段は、表示を行うための表示手段（２５）であって、
前記制御手段は、前記施設毎の位置を前記表示手段による表示で報知させることを特徴とする請求項１に記載の携帯端末。
【請求項３】
前記制御手段は、前記施設毎の位置を含む地図とこの地図上で前記施設毎の位置に付したマークとを前記表示手段により表示させることにより、前記施設毎の位置を前記表示手段による表示で報知させることを特徴とする請求項２に記載の携帯端末。
【請求項４】
前記受信手段が、前記施設毎の位置情報とともに、前記施設毎の施設名を受信するものであり、
前記受信された前記施設毎の施設名のリストを前記表示手段によって表示させるリスト表示制御手段（２７０、２７０ａ）を有することを特徴とする請求項２に記載の携帯端末。
【請求項５】
現在地を検出するための検出手段（２９、３０）を有し、
前記制御手段が、前記検出された現在地と前記受信された施設毎の位置情報に基づき、前記受信された施設毎の位置と前記検出された現在地とを前記報知手段によって報知させることを特徴とする請求項１ないし４のいずれか１つに記載の携帯端末。
【発明の詳細な説明】
【０００１】
【発明の属する技術分野】
本発明は、携帯端末に関する。
【０００２】
【従来の技術および発明が解決しようとする課題】
例えば、旅行者が、旅先などで、地下鉄駅から徒歩で目的地まで来たものの、この目的地から地下鉄駅までの地理の把握が曖昧で、この地下鉄駅に戻る道順が分からなくなるときがある。
【０００３】
そこで、本発明者は、地下鉄駅などの施設に着目して、この施設の位置情報を送信するための無線装置を施設毎に設置し、旅行者が携帯電話を携帯してこの施設の周辺を通過すると、携帯電話がこの送信される位置情報を受信できるようにすれば、携帯電話がこの位置情報に基づき施設毎の位置を報知することにより、旅行者にとって、帰路の道順が分かるようになると考えた。
【０００５】
本発明は、上記点に鑑みて成されたもので、施設毎の位置情報を無線受信して施設毎の位置を報知できる携帯端末を提供することを目的とする。
【０００７】
【課題を解決するための手段】
本発明は、上記目的を達成するため、施設毎に対応して設置された無線装置（１０、１０ａ〜１０ｃ）と無線通信を行う携帯端末であって、報知を行う報知手段（２５）と、前記施設毎の位置情報と前記施設毎のジャンルを前記無線装置から受信する受信手段（２１、２２、２００、２２０、２４０）と、使用者により操作される操作手段（２６）と、前記施設毎の位置情報の受信に先立ち前記操作手段が操作されて前記施設のジャンルが指定される第１の指定手段（２００ａ）と、前記施設毎の位置の報知に先立ち前記操作手段が操作されて前記施設のジャンルが指定される第２の指定手段（２６１）と、前記受信された施設毎のジャンルと前記受信された施設毎の位置情報のうち前記指定されたジャンルの施設の位置情報とに基づき、前記指定されたジャンルの施設の位置だけを前記報知手段によって報知させる制御手段（２１０、２３０、２５０、２６０ａ）と、を有する携帯端末であり、情報の記憶を行うための記憶手段（２８）を有し、前記制御手段は、前記受信された施設毎の位置情報のうち前記第１の指定手段で指定されたジャンルの施設毎の位置情報だけを前記記憶手段に記憶させる手段（２１０、２３０、２５０）と、前記記憶された施設毎の位置情報のうち前記第２の指定手段で指定されたジャンルの施設の位置情報に基づき、前記第２の指定手段で指定されたジャンルの施設の位置だけを前記報知手段によって報知させることにより、前記操作指定手段で指定されたジャンルの施設の位置だけを前記報知手段によって報知させる手段（２６０ａ）と、を有することを特徴とする。
【０００８】
このことにより、無線装置から受信された施設毎の位置を、報知手段によって報知させるので、使用者に対して、報知手段によって施設毎の位置を報知することができる。
【００１３】
また、請求項２に記載の発明では、報知手段は、表示を行うための表示手段（２５）であって、制御手段は、施設毎の位置を表示手段による表示で報知させることを特徴とする。
【００１４】
請求項３に記載の発明では、制御手段は、施設毎の位置を含む地図とこの地図上で施設毎の位置に付したマークとを表示手段により表示させることにより、施設毎の位置を表示手段による表示で報知させることを特徴とする。
【００１７】
請求項４に記載の発明では、受信手段が、施設毎の位置情報とともに、施設毎の施設名を受信するものであり、受信された施設毎の施設名のリストを表示手段によって表示させるリスト表示制御手段（２７０、２７０ａ）を有することを特徴とする。
【００１８】
請求項５に記載の発明では、現在地を検出するための検出手段（２９、３０）を有し、制御手段が、検出された現在地と受信された施設毎の位置情報に基づき、受信された施設毎の位置と検出された現在地とを報知手段によって報知させることを特徴とする。
【００１９】
因みに、上記各手段の括弧内の符号は、後述する各実施形態に記載の具体的手段との対応関係を示す一例である。
【００２０】
【発明の実施の形態】
（第１実施形態）
図１に、本発明に係る無線装置と携帯端末が適用された施設情報配信システムの構成を示す。
【００２１】
施設情報配信システムは、図１に示すように、無線装置１０および携帯電話２０から構成されている。無線装置１０は、ホテル、駅、百貨店などの施設毎に対応して設置されたもので、アンテナ１１、小電力無線部１２、メモリ１３および制御部１４から構成されている。
【００２２】
小電力無線部１２は、施設毎の位置情報（例えば、緯度、経度）などの施設情報を送信信号としてアンテナ１１から送信させる。また、小電力無線部１２の送信には、ブルートュース技術などの近距離無線技術が用いられている。なお、小電力無線部１２及びアンテナ１１により生成される無線エリアは、携帯電話網の基地局により生成される無線エリアに比べて、小さく、半径が、例えば、数メートルに設定されている。
【００２３】
メモリ１３は、フラッシュメモリ、ＳＤＲＡＭなどから構成されて、制御部１４による処理に伴うデータを記憶するとともに、コンピュータプラグラムを記憶する。また、メモリ１３は、施設毎の施設情報を記憶する。この施設情報としては、施設毎に対応する位置情報、施設名、電話番号、施設ジャンル識別ＩＤなどの施設毎の情報を適用することができる。なお、施設ジャンル識別ＩＤとは、施設のジャンル（例えば、ホテル、駅、百貨店）の識別を示すデータである。
【００２４】
制御部１４は、マイクロコンピュータなどから構成されて、携帯電話２０からの要求に関わりなく、施設毎の位置情報などの施設情報を自動的に送信させるための施設情報送信処理を行う。
【００２５】
また、携帯電話２０は、アンテナ２１、小電力無線部２２、アンテナ２３、無線部２４、表示部２５、操作キー２６、制御部２７、およびメモリ２８から構成されている。
【００２６】
小電力無線部２２は、無線装置１０から送信される送信信号をアンテナ２１を介して受信する。なお、小電力無線部２２の受信には、ブルートュース技術などの近距離無線技術が用いられている。
【００２７】
無線部２４は、携帯電話網の基地局からの下り通信信号をアンテナ２３を介して受信するとともに、上り通信信号をアンテナ２３から基地局に送信する。なお、無線部２４及び基地局間の無線には、ＣＤＭＡ方式、ＰＤＣ方式などの無線技術が用いられている。すなわち、無線部２４は、小電力無線部２２に用いられる通信規約と異なる通信規約で無線通信を行うことになる。
【００２８】
表示部２５は、液晶ディスプレイから構成されて、地図などの各種の表示を行う。操作キー２６は、各キーを有して構成されて、各キーには、電話、地図表示などの各機能が割り付けられている。
【００２９】
制御部２７は、マイクロコンピュータから構成されて、携帯電話網の基地局を介して通話を行うための通話処理以外に、施設毎の位置を報知するための施設位置報知処理を行う。
【００３０】
メモリ２８は、フラッシュメモリ、ＳＤＲＡＭ等から構成されて、制御部２７の各種の処理に伴うデータを記憶するとともに、コンピュータプログラムを記憶する。また、メモリ２８には、地図表示を行うための道路地図データが記憶されている。なお、道路地図データとしては、基地局を介して地図サーバから予めダウンロードして記憶されている。
【００３１】
次に、本実施形態の作動として、図２に示すように、Ａ駅の南口、Ｂ百貨店の東口、Ｃホテルの玄関に、無線装置を設置し、図２中の矢印Ｋ（使用者の歩行経路）のごとく、使用者が携帯電話２０を携帯してＡ駅の南口から歩き始め、Ｂ百貨店の東口の周辺を通過してＣホテルの玄関に到着した一例について、図２、図３を参照して説明する。
【００３２】
図２は、Ａ駅の南口、Ｂ百貨店の東口、Ｃホテルの位置を含む市街地の道路地図を示す図、図３は、携帯電話２０の制御部２７の処理と無線装置１０ａ〜１０ｃの制御部１４の処理を示すフローチャートである。
【００３３】
なお、Ａ駅の南口、Ｂ百貨店の東口、Ｃホテルの玄関のそれぞれに設置した無線装置を、以下、無線装置１０ａ、１０ｂ、１０ｃという。無線装置１０ａのメモリ１３には、Ａ駅の施設情報が記憶されて、無線装置１０ｂのメモリ１３には、Ｂ百貨店の施設情報が記憶されて、無線装置１０ｃのメモリ１３には、Ｃホテルの施設情報が記憶されている。また、図２中の符号１１ａ〜１１ｃは無線装置毎の無線エリアを示す。
【００３４】
先ず、使用者が、地下鉄Ａ駅に到着する以前に携帯電話２０の操作キー２６に対して施設位置報知処理の開始操作を行い制御部２７が施設位置報知処理を開始した後、使用者が地下鉄Ａ駅で下車しその南口から外に出る。このとき、使用者は、携帯電話２０とともに、無線装置１０ａの無線エリア１１ａ内に入ることになる。
【００３５】
ここで、無線装置１０ａの制御部１４が、携帯電話２０からの要求に関わりなく、メモリ１３に記憶された地下鉄Ａ駅の施設情報を小電力無線部１２によって送信させる（ステップ１００）。これにより、無線装置１０ａの小電力無線部１２は、使用者の地下鉄Ａ駅への到着以前から、地下鉄Ａ駅の位置情報、施設名（例えば、地下鉄Ａ駅）、電話番号、施設ジャンル識別ＩＤなどのＡ駅の施設情報を、アンテナ１１から継続的に送信させることになる。
【００３６】
このため、使用者が無線エリア１１ａ内に入ると、携帯電話２０の制御部２７は、Ａ駅の位置情報、施設名、電話番号、施設ジャンル識別ＩＤなどのＡ駅の施設情報を、小電力無線部２２及びアンテナ２１を通して受信できる（ステップ２００）。これに伴い、制御部２７は、この受信したＡ駅の施設情報をメモリ２８に記憶させる（ステップ２１０）。
【００３７】
次に、使用者がＢ百貨店の東口周辺に到着すると、使用者は、携帯電話２０とともに、無線装置１０ｂの無線エリア１１ｂ内に入ることになる。
【００３８】
ここで、無線装置１０ｂの制御部１４は、携帯電話２０からの要求に関わりなく、メモリ１３に記憶されたＢ百貨店の施設情報を小電力無線部１２によって送信させる（ステップ１１０）。これにより、無線装置１０ｂの小電力無線部１２は、使用者のＢ百貨店の東口周辺への到着以前から、Ｂ百貨店の位置情報、施設名（例えば、Ｂ百貨店）、電話番号、施設ジャンル識別ＩＤなどのＢ百貨店の施設情報を、アンテナ１１から継続的に送信させることになる。
【００３９】
このため、使用者が無線エリア１１ｂ内に入ると、携帯電話２０の制御部２７は、Ｂ百貨店の位置情報、施設名、電話番号、施設ジャンル識別ＩＤなどのＢ百貨店の施設情報を、小電力無線部２２及びアンテナ２１を通して受信する（ステップ２２０）。これに伴い、制御部２７は、この受信したＢ百貨店の施設情報をメモリ２８に記憶させる（ステップ２３０）。
【００４０】
次に、使用者がＣホテルの玄関周辺に到着すると、使用者が、携帯電話２０とともに、無線装置１０ｃの無線エリア１１ｂ内に入ることになる。
【００４１】
ここで、無線装置１０ｃの制御部１４は、無線装置１０ａと同様に、携帯電話２０からの要求に関わりなく、メモリ１３に記憶されたＣホテルの施設情報を小電力無線部１２によって送信させる（ステップ１２０）。これにより、無線装置１０ｃの小電力無線部１２は、使用者のＣホテルの玄関周辺への到着以前から、Ｃホテルの位置情報、施設名（例えば、Ｃホテル）、電話番号、施設ジャンル識別ＩＤなどのＣホテルの施設情報を、アンテナ１１から継続的に送信させることになる。
【００４２】
このため、使用者が無線エリア１１ｃ内に入ると、携帯電話２０の制御部２７は、Ｃホテルの位置情報、施設名、電話番号、施設ジャンル識別ＩＤなどのＣホテルの施設情報を、小電力無線部２２及びアンテナ２１を通して受信する（ステップ２４０）。これに伴い、制御部２７は、この受信したＣホテルの施設情報をメモリ２８に記憶させる（ステップ２５０）。
【００４３】
その後、使用者が携帯電話２０の操作キー２６に対して地図表示の開始操作を行う。これに伴い、制御部２７は、メモリ２８に記憶された道路地図データと、メモリ２８に記憶されたＡ駅、Ｂ百貨店、Ｃホテル等の施設毎の位置情報とに基づき、各施設の位置を含む道路地図とこの道路地図上の施設毎の位置に付した目的地マークとを表示部２５に表示させる（ステップ２６０）。
【００４４】
このため、表示部２５は、図４に示すように、各施設の位置を含む道路地図と、この道路地図上のＡ駅、Ｂ百貨店、Ｃホテルに付加した目的地マーク１２ａ〜１２ｃとを表示することになる。従って、使用者にとって、表示部２５で表示される道路地図上で現在地を探すだけで、目的地マーク１２ａ〜１２ｃを目安にして地下鉄Ａ駅に戻る道順が分かるようになる。
【００４５】
次に、使用者が操作キー２６対してリスト表示の開始操作を行うと、制御部２７は、メモリ２８に記憶されたメモリ２８に記憶されたＡ駅、Ｂ百貨店、Ｃホテル等の施設毎の施設情報に基づき、施設毎の施設情報のリストを表示部２５に表示させる（ステップ２７０）。従って、表示部２５は、図５に示すように、Ａ駅、Ｂ百貨店、Ｃホテル等の施設毎の電話番号、施設名、施設ジャンルのリストを表示することになる。図５に示すリストは、施設情報の受信時刻が現時刻に近い順に並べられている。
【００４６】
以上説明したように本実施形態によれば、施設毎の位置情報を送信する無線装置１０（１０ａ〜１０ｃ）を施設毎に設置し、携帯電話２０は、施設毎の位置情報を無線装置１０から受信するとともに、この施設毎の位置情報を基づき施設毎の位置を表示部２５を介して報知する。従って、使用者にとって、施設毎の位置を目安にして帰路の道順が分かるようになる。
【００４７】
また、無線装置１０としては、携帯電話２０からの要求を受けたとき施設毎の位置情報の送信を開始させるようにすることも可能である。この場合、携帯電話２０は、施設毎の位置情報の受信に先だって、無線装置１０に対して位置情報を要求するための要求信号を送信させる必要がある。しかし、携帯電話２０が要求信号の送信を長時間行うと、電池が容量不足になる可能性がある。そこで、本実施形態のごとく、無線装置１０が、携帯電話２０からの要求に関わりなく、施設毎の位置情報を送信するようにすることにより、携帯電話の電池の容量不足を未然に抑制することができる。
【００４８】
さらに、従来、ＧＰＳ機能付携帯電話として、各人工衛星から送信される信号に基づき現在地を検出し、この現在地を含む周辺地図と、この地図上の現在地に付した現在地マークとを表示部に表示して地理案内するものがある。この場合、高層ビルが建ち並ぶ市街地では、各人工衛星からの信号を受信する際、高層ビルが電波障害の要因となり、現在地を検出できなくなる可能性がある。これに対して、本実施形態では、携帯電話２０が、高層ビルに関わりなく、無線装置１０からの施設毎の施設情報を受信できるので、高層ビルが建ち並ぶ市街地など通信環境の悪い場所で、携帯電話２０が位置情報を取得するのに好適である。
【００４９】
なお、上記第１実施形態では、無線装置１０として、携帯電話２０からの要求に関わりなく、施設毎の位置情報などの施設情報を自動的に送信させるものを適用した例について説明したが、これに限らず、携帯電話２０からの要求を受けたときに、施設毎の位置情報などの施設情報を送信させるように構成してもよい。
【００５０】
また、上記第１実施形態では、施設毎の施設情報のリストとしては、施設情報の受信時刻が現時刻に近い順に並べて表示させる例について説明したが、これに限らず、リストとしては、図６に示すように、施設情報の受信時刻が現時刻に遠い順に並べて表示させるようにしたもよい。
【００５１】
（第２実施形態）
上記第１実施形態では、使用者が施設位置報知処理の開始操作を行って、携帯電話２０とともに無線装置１０の無線エリア内に入ると、施設ジャンルに関わらず、無線装置１０から送信される施設情報をメモリ２８に記憶させる例について説明したが、本第２実施形態では、使用者の指定したジャンルの施設情報だけをメモリ２８に記憶させる。
【００５２】
この場合の具体例として、上記第１実施形態と同様に、図２中の矢印Ｋのごとく、使用者が携帯電話２０を携帯してＡ駅の南口からＢ百貨店を経てＣホテルの玄関に到着した一例について、図７を参照して説明する。図７は、携帯電話２０の制御部２７の処理と無線装置１０ａ〜１０ｃの制御部１４の処理を示すフローチャートである。なお、図７に示すフローチャートは、図３に示すフローチャートに対しステップ２０１、２１１、２２１、２３１、２４１、２５１、２６０ａ、２６１、２７０ａ、２７１を追加したものである。
【００５３】
先ず、制御部２７が、使用者による操作キー２６への操作に基づき、施設位置報知処理の開始すると、使用者に対して、希望の施設ジャンルの指定を促すための画像を表示部２５に表示させる。この希望の施設ジャンルは、使用者にとって、メモリ２８への記憶を希望する施設情報のジャンルである。
【００５４】
その後、使用者が、操作キー２６を操作して、希望の施設ジャンルを指定すると、この指定された施設ジャンル（以下、メモリ指定ジャンルという）をメモリ２８に記憶させる（ステップ２００ａ）。このことにより、施設毎の位置情報の受信に先立ち操作キー２６が操作されて希望の施設のジャンルが指定されることになる。
【００５５】
次に、使用者が、携帯電話２０とともに、無線装置１０ａの無線エリア１１ａ内に入ると、制御部２７は、Ａ駅の施設情報を、小電力無線部２２及びアンテナ２１を通して受信する（ステップ２００）。これに伴い、制御部２７は、この受信したＡ駅の施設情報に含まれる施設ジャンルＩＤに基づき、Ａ駅の施設ジャンルが、メモリ２８に記憶されたメモリ指定ジャンルと同一であるか否かを判定する（ステップ２０１）。Ａ駅の施設ジャンルが、メモリ指定ジャンルと同一である場合には、Ａ駅の施設情報をメモリ２８に記憶させる（ステップ２１０）。また、Ａ駅の施設ジャンルが、メモリ指定ジャンルと不一致であるとき、Ａ駅の施設情報を破棄する（ステップ２１１）。
【００５６】
その後、使用者が、携帯電話２０とともに、無線装置１０ｂの無線エリア１１ｂ内に到達して、無線装置１０ｂの無線エリア１１ｂからＢ百貨店の施設情報を受信したときにも（ステップ２２０）、Ｂ百貨店の施設情報の施設情報に含まれる施設ジャンルＩＤに基づいて、Ｂ百貨店の施設ジャンルが、メモリ指定ジャンルと同一であるか否かを判定する（ステップ２２１）。Ｂ百貨店の施設ジャンルが、メモリ指定ジャンルと同一である場合には、Ｂ百貨店の施設情報をメモリ２８に記憶させる（ステップ２３０）。また、Ｂ百貨店の施設ジャンルが、メモリ指定ジャンルと不一致であるとき、Ｂ百貨店の施設情報を破棄する（ステップ２３１）。
【００５７】
同様に、無線装置１０ｃの無線エリア１１ｃからＣホテルの施設情報を受信したときにも（ステップ２４０）、Ａ駅、Ｂ百貨店の施設情報の場合と同様に、Ｃホテルの施設ジャンルが、メモリ指定ジャンルと同一であると判定したとき、Ｃホテルの施設情報をメモリ２８に記憶させる（ステップ２４１、２５０）。また、Ｃホテルの施設ジャンルが、メモリ指定ジャンルと不一致であると判定したとき、Ｃホテルの施設情報を破棄する（ステップ２５１）。
【００５８】
以上のような処理により、無線装置１０ａ〜１０ｃから送信される施設毎の施設情報のうち、メモリ指定ジャンルと一致する施設ジャンルの施設情報だけをメモリ２８に記憶させることができる。
【００５９】
その後、制御部２７が、使用者による操作キー２６への操作に基づき、地図表示を開始すると、位置の報知を希望する施設のジャンル（以下、表示指定ジャンルという）を使用者によって指定させるための画面を表示部２５に表示させる。
【００６０】
次に、使用者が、操作キー２６の操作によって、表示指定施設ジャンルを指定した場合には、この表示指定ジャンルをメモリ２８に記憶させる（ステップ２６１）。このことにより、施設毎の位置の報知に先立ち操作キー２６が操作されて表示指定ジャンルが指定されることになる。
【００６１】
ここで、メモリ２８において、表示指定施設ジャンルに該当する施設毎の施設情報が記憶されている場合には、この該当する施設毎の施設情報に含まれる位置情報に基づき、道路地図と、この道路地図上にて該当する施設毎に付加した目的地マークとを表示部２５に表示させる（ステップ２６０ａ）。これにより、表示部２５は、この道路地図上にて、表示指定施設ジャンルに該当する施設だけ目的地マークを付して表示させることができる。
【００６２】
次に、制御部２７が、使用者による操作キー２６への操作に基づき、リスト表示を開始すると、リスト表示を希望する施設のジャンル（以下、リスト指定ジャンルという）を使用者によって指定させるための画面を表示部２５に表示させる。
【００６３】
次に、使用者が、操作キー２６の操作によって、リスト指定ジャンルを指定した場合には、このリスト指定ジャンルをメモリ２８に記憶させる（ステップ２７１）。ここで、メモリ２８において、リスト指定ジャンルに該当する施設毎の施設情報が記憶されている場合には、この該当する施設毎の施設情報に基づき、該当する施設毎の施設情報のリストを表示部２５に表示させる（ステップ２７０ａ）。
【００６４】
（第３実施形態）
本第３実施形態では、上記第１実施形態で説明した携帯電話２０に対して、現在地を検出する機能を追加するようにした例について説明する。この場合の携帯電話２０Ａの構成を図８に示す。図８に示すように、携帯電話２０Ａは、図１に示す携帯電話２０の構成に、ＧＰＳアンテナ２９、ＧＰＳ受信機３０、電子コンパス３１、歩数計３２を追加したものである。
【００６５】
ＧＰＳ受信機３０は、ＧＰＳアンテナ２９とともに現在地を検出するために採用されており、ＧＰＳ受信機３０が、ＧＰＳアンテナ２９を介して各人工衛星から送信される信号を受信する。これに伴い、制御部２７が、ＧＰＳ受信機３０からの出力に基づき現在地を取得する。
【００６６】
これに加えて、制御部２７が、この取得した現在地と、メモリ２７に記憶された道路地図データと、無線装置１０ａ〜１０ｃから受信した施設毎の施設情報とに基づき、図９に示すように、道路地図と、この道路地図上の施設毎に付した目的地マーク１２ａ〜１２ｃと現在地に付した現在地マークＧＭとを表示部２５に表示させる。これにより、表示部２５により表示される道路地図上では、施設毎の位置に付した目的地マーク１２ａ〜１２ｃ以外に、現在地に対応する現在地マークＧＭが表示されることになる。
【００６７】
また、電子コンパス３１は、地球上の磁力線を検出するとともに、この検出した磁力線に基づき方位を検出する。そこで、制御部２７は、表示部２５に道路地図を表示させるとき、電子コンパス３１により検出された方位に基づき、この検出した方位と道路地図上の方位とを一致させるようにする。このため、携帯電話２０Ａの表示部２５を水平にした状態で何れの方向に向けても、図１０に示すように、地球上の方位と道路地図上の方位とを一致させることができるため、道路地図の内容の把握が容易になる。
【００６８】
なお、現在地と目的地が離れているときには、地図の詳細度の高い道路地図データを用い、現在地と目的地が近いときには、地図の詳細度の低い広域エリアの道路地図データを用いることが好適である。
【００６９】
また、ＧＰＳアンテナ２９及びＧＰＳ受信機３０とに基づき現在地を取得できないときでは、使用者にとって、以下のごとく、歩数計３２と電子コンパス３１とを用いて、使用者に対して地図上の現在地の把握を助けることができる。
【００７０】
歩数計３２は、使用者の歩行の際に生じる振動を検出するとともに、この検出した振動に基づき、歩数をカウントできる。また、制御部２７は、操作キー２６により歩幅と歩行開始地点とが設定されると、この設定された歩幅と歩行開始地点と前記カウントした歩数とを基づき、歩行開始地点からの歩行距離を算出できる。これに加えて、制御部２７は、図８に示すように、前記算出した歩行距離（図８では、距離１００ｍと示す）と、歩行開始地点（図８では、＊＊ホテルと示す）とを表示部２５に表示させることができる。
【００７１】
以上のように、歩数計３２と電子コンパス３１とを連動させることにより、ＧＰＳアンテナ２９及びＧＰＳ受信機３０とに基づき現在地を取得できないときでも、使用者にとっては、歩行開始地点からの歩行距離と方位とが分かるので、現在地を容易に把握することができる。
【００７２】
なお、上記各実施形態では、表示手段として液晶ディスプレイを適用した例について説明したが、これに限らず、ＥＬディスプレイなどの各種の表示部を適用してもよい。
【００７３】
また、上記各実施形態では、無線装置１０及び携帯電話２０との間で施設毎の位置情報を無線通信するために、ブルートュース技術を用いた例について説明したが、これに限らず、各種の無線技術などのを用いてもよい。例えば、電波を媒体として位置情報を通信するのに限らず、赤外線や超音波を用いてもよい。また、無線装置の無線通信可能な無線エリアとしては、携帯電話網の基地局の無線エリア内に複数個存在するように構成することが好ましい。
【００７４】
さらに、上記各実施形態では、携帯端末として携帯電話２０（２０Ａ）を適用した例について説明したが、これに限らず、無線通信を行うことができるものであるならば、ＰＨＳ、ＰＤＡ、トランシーバ、ポケットベル等の各種携帯端末を用いてもよい。
【００７５】
また、上記各実施形態では、施設情報として、位置情報、施設名、電話番号、施設ジャンル識別ＩＤなどを適用した例について説明したが、これに限らず、施設に関する情報であるならば、広告情報などを用いてもよい。
【００７６】
また、上記各実施形態では、施設として、ホテル、駅、百貨店等の商業施設を適用した例について説明したが、これに限らず、市町村役場、裁判所などの公共施設や病院など、各種の施設を適用してもよい。
【００７７】
また、上記各実施形態では、道路地図上の施設に目的地マークを付して表示することにより、施設の位置を報知する例について説明したが、これに限らず、文字情報により、施設の位置を報知するようにしてもよい。例えば、ＧＰＳアンテナ２９及びＧＰＳ受信器３０により取得した現在地と、施設の位置情報とに基づき、現在地を基準とする施設の方位と現在地及び施設間の距離を求め、この求められた方位と距離を表示部２５による文字表示で報知することにより、施設の位置を報知することもできる。
【００７８】
以下、上記実施形態と特許請求項の範囲の構成との対応関係について説明すると、アンテナ１１、小電力無線部１２が送信手段に相当し、アンテナ２１、小電力無線部２２が受信手段に相当し、表示部２５が報知手段、表示手段に相当し、制御部２７、２６０ａが制御手段に相当し、キー操作部２６が操作手段に相当し、メモリ２８が記憶手段に相当し、ステップ２００ａ、２６１が指定手段に相当し、ステップ２００ａが第１の指定手段に相当し、ステップ２６１が第２の指定手段に相当し、ステップ２１０、２３０、２５０が記憶制御手段に相当し、ＧＰＳアンテナ２９、ＧＰＳ受信機３０が検出手段に相当する。
【図面の簡単な説明】
【図１】本発明の第１実施形態の施設情報配信システムの構成を示す図である。
【図２】図１示す携帯電話および無線装置との作動を説明するための地図を示す図である。
【図３】図１示す携帯電話および無線装置との処理を示すフローチャートである。
【図４】図１示す携帯電話の表示を示す図である。
【図５】図１示す携帯電話の表示を示す図である。
【図６】図１示す携帯電話の表示を示す図である。
【図７】本発明の第２実施形態の携帯電話および無線装置の処理を示すフローチャートである。
【図８】本発明の第３実施形態の施設情報配信システムの構成を示す図である。
【図９】図８に示す携帯電話の表示を示す図である。
【図１０】図８に示す携帯電話の作動を示す図である。
【符号の説明】
１０ａ…無線装置、２０…携帯電話、２５…表示部、２７…制御部。
【図１】
0003888188.tif 000002
【図２】
0003888188.tif 000003
【図３】
0003888188.tif 000004
【図４】
0003888188.tif 000005
【図５】
0003888188.tif 000006
【図６】
0003888188.tif 000007
【図７】
0003888188.tif 000008
【図８】
0003888188.tif 000009
【図９】
0003888188.tif 000010
【図１０】
0003888188.tif 000011